(57)【要約】【課題】対象物を搭載できるブラケット装置を提供する。【解決手段】ブラケット装置２０は側壁２２、ベース２４、少なくとも一つの取り付け部材２６ａ、弾性部材２８および嵌合部材３０を備える。側壁２２は、対象物としての搭載物に対向する。ベース２４は、側壁２２に隣り合う。少なくとも一つの取り付け部材２６ａはベース２４に接続されている。嵌合部材３０は、側壁２２に対して移動可能に設けられており、搭載物に嵌着可能な嵌着部４４を有する。また、嵌合部材３０は、弾性部材２８の弾力により、嵌合部材３０の位置が保持された状態である第一状態から取り付け部材に離れる方向に嵌合部材が移動した状態である第二状態まで転換できる。【選択図】図２
2018061827.tif 000002
【特許請求の範囲】
【請求項１】
対象物に対向する側壁と、
前記側壁に隣り合うベースと、
前記側壁とは反対側で前記ベースに接続されている少なくとも一つの取り付け部材と、
前記側壁に設けられる弾性部材と、
前記側壁に対して移動可能に設けられており、前記対象物に嵌着可能な嵌着部を有する嵌合部材と、
を備え、
前記嵌合部材は、前記弾性部材の弾力により位置が保持された状態である第一状態から前記取り付け部材に離れる方向に前記嵌合部材が移動した状態である第二状態まで転換できることを特徴とするブラケット装置。
【請求項２】
前記嵌着部は、空間および前記空間に隣り合う係止壁を含むことを特徴とする請求項１に記載のブラケット装置。
【請求項３】
前記側壁と垂直に接続されている端壁をさらに備え、
前記ベースは、前記端壁に設けられ、
前記取り付け部材は、前記端壁に貫通して設けられていることを特徴とする請求項２に記載のブラケット装置。
【請求項４】
前記嵌合部材は、前記側壁に対して回転可能に設けられ、側部および前記側部に対して湾曲する嵌合部を有し、
前記嵌着部は、前記側部に設けられ、
前記嵌合部材が前記第一状態にあるとき、前記嵌合部は、前記取り付け部材に隣り合い、
前記嵌合部材が前記第二状態にあるとき、前記嵌合部は、前記取り付け部材から離れていることを特徴とする請求項１に記載のブラケット装置。
【請求項５】
前記側壁に対して湾曲する係止部をさらに備え、
前記弾性部材は、前記係止部と前記嵌合部材との間に位置する弾性部を有することを特徴とする請求項１に記載のブラケット装置。
【請求項６】
前記嵌合部材は、前記側壁に対して回転可能に設けられ、
前記嵌合部材は、側部および前記側部に対して湾曲する嵌合部を有し、
前記嵌着部は、前記嵌合部に設けられ、
前記嵌着部は、延伸アームおよび前記延伸アームに対して湾曲するフック部を含み、
前記嵌合部材が前記第一状態にあるとき、前記嵌合部は、前記取り付け部材に隣り合うことを特徴とする請求項１に記載のブラケット装置。
【請求項７】
前記側部と、前記嵌合部と、前記延伸アームと、前記フック部とは、一体に形成されていることを特徴とする請求項６に記載のブラケット装置。
【請求項８】
前記嵌合部は、上側および下側を含み、
前記延伸アームは、前記上側と前記下側との間で垂直に前記嵌合部と接続されていることを特徴とする請求項６に記載のブラケット装置。
【請求項９】
第一レールおよび前記第一レールに対して移動する第二レールを備えるスライドレールアセンブリに用いられるブラケット装置であって、
対象物に対向する側壁と、
前記側壁に隣り合うベースと、
前記側壁とは反対側で前記ベースに接続されている少なくとも一つの取り付け部材と、
前記側壁に設けられる弾性部材と、
前記側壁に対して移動可能に設けられており、前記対象物に嵌着可能な嵌着部を有する嵌合部材と、
を備え、
前記嵌合部材は、前記弾性部材の弾力により位置が保持された状態である第一状態から前記取り付け部材に離れる方向に移動した状態である第二状態まで転換できることを特徴とするブラケット装置。
【請求項１０】
複数の柱孔を含むラック柱を有するラック、前記ラック柱に設けられる第一レールおよび前記第一レールに対して移動可能であり、対象物を搭載する第二レールを備えるスライドレールアセンブリに用いられるブラケット装置であって、
前記対象物に対向する側壁と、
前記側壁に隣り合うベースと、
前記ベースに接続されており、前記柱孔を介して前記ラック柱に取り付け可能な少なくとも一つの取り付け部材と、
前記側壁に設けられる弾性部材と、
前記側壁に対して移動可能に設けられており、前記ラック柱と嵌合可能な嵌合部および前記対象物に嵌着可能な嵌着部を有する嵌合部材と、
を備え、
前記嵌合部材は、前記弾性部材の弾力により位置が保持された状態である第一状態から前記取り付け部材と離れる方向に移動した状態である第二状態まで転換でき、
前記嵌合部材が前記第一状態であるとき、前記嵌着部は、前記対象物を嵌着することを特徴とするブラケット装置。
【発明の詳細な説明】
【技術分野】
【０００１】
本発明は、ブラケット装置に関する。
【背景技術】
【０００２】
一般に、ラックシステムは、搭載物がスライドレールアセンブリによりラック（ｒａｃｋ）に取り付けられる。
スライドレールアセンブリの第一レールは、ブラケット装置によりラックのラック柱に取り付けられ、しかも第二レールは、第一レールに相対して移動し、搭載物が搭載される。
【０００３】
例えば、特許文献１に開示されている電子機器ラック用ラック保持システムは、主にラックにシャーシ（ｃｈａｓｓｉｓ）を固定するためのシステム。
具体的には、特許文献１の図１に示すように、全てのシャーシ（１０５、１１０、１１５）は、それぞれ取手（１０６、１１２、１１６）を備える。
これらの取手（１０６、１１２、１１６）は、シャーシ（１０５、１１０、１１５）がスライドレール（１２０、１２２）を介してラック（１０１）の中からラック（１０１）の外まで移動するため、使用者に用いられる。
ラック（１０１）は、垂直部材（１３０）を備える。垂直部材（１３０）は、多くの四角い孔（１３３）を有する。
さらに、特許文献１の図３に示すように、取手（３０１）は、固定装置（３０７）を備える。例えば、スナップフック（ｓｎａｐ  ｈｏｏｋ）は、多くの四角い孔（１３３）を通し、垂直部材（１３０）の裏側を保持する。そのため、シャーシは、ラック（１０１）に固定できる。
【先行技術文献】
【特許文献】
【０００４】
【特許文献１】米国特許第６１８１５４９号Ｂ１明細書
【特許文献２】米国特許第９３７０１２０号Ｂ２明細書
【特許文献３】米国特許第９４８０１８３号Ｂ２明細書
【発明の概要】
【発明が解決しようとする課題】
【０００５】
比較的重量の対象物を搭載するとき、特許文献１に記載されるような構成では、固定力が弱く、使用することができない。
【０００６】
本発明は、対象物を搭載できるブラケット装置を提供することにある。
【課題を解決するための手段】
【０００７】
本発明の一つのブラケット装置は、側壁、ベース、少なくとも１つの取り付け部材、弾性部材および嵌合部材を備える。
側壁は、対象物に対向する。
ベースは、側壁に隣り合う。
取り付け部材は、側壁とは反対側で前記ベースに接続されている。
弾性部材は、側壁に設けられている。
嵌合部材は、側壁に対して移動可能に設けられており、対象物に嵌着可能な嵌着部を有する。
また、嵌合部材は、弾性部材の弾力により、嵌合部材の位置が保持された状態である第一状態から取り付け部材に離れる方向に嵌合部材が移動した状態である第二状態まで転換できる。
【０００８】
好ましくは、嵌着部は、空間および空間に隣り合う係止壁を含む。
【０００９】
好ましくは、前記側壁と垂直に接続されている端壁をさらに備える。
ベースは、端壁に設けられている。
取り付け部材は、端壁に貫通して設けられている。
【００１０】
好ましくは、嵌合部材は、側壁に対して回転可能に設けられ、
嵌合部材は、側部および側部に対して湾曲する嵌合部を有する。
嵌着部は、側部に設けられる。
嵌合部材が第一状態にあるとき、嵌合部は、取り付け部材に隣り合う。
嵌合部材が第二状態にあるとき、嵌合部は、取り付け部材から離れている。
【００１１】
好ましくは、弾性部材は、側壁と嵌合部材との間に設けられている。
【００１２】
好ましくは、側壁に対して湾曲する係止部をさらに備える。
弾性部材は、係止部と嵌合部材との間に位置する弾性部を有する。
【００１３】
好ましくは、嵌合部材は、側壁に対して回転可能に設けられる。
嵌合部材は、側部および側部に対して湾曲する嵌合部を有する。
嵌着部は、嵌合部に設けられる。
嵌着部は、延伸アームおよび延伸アームに対して湾曲するフック部を含む。
嵌合部材が第一状態にあるとき、嵌合部は、取り付け部材に隣り合う。
【００１４】
好ましくは、側部と、嵌合部と、延伸アームと、フック部とは、一体に形成されている。
【００１５】
好ましくは、嵌合部は、上側および下側を含む。
延伸アームは、上側と下側との間で垂直に嵌合部と接続されているする。
【００１６】
本発明の別のブラケット装置は、第一レールおよび第一レールに対して移動する第二レールを備えるスライドレールアセンブリに用いられる。
ブラケット装置は、側壁、ベース、少なくとも１つの取り付け部材、弾性部材および嵌合部材を備える。
側壁は、対象物に対向する。
ベースは、側壁に隣り合う。
取り付け部材は、側壁とは反対側で前記ベースに接続されている。
弾性部材は、側壁に設けられている。
嵌合部材は、側壁に対して移動可能に設けられており、対象物に嵌着可能な嵌着部を有する。
また、嵌合部材は、弾性部材の弾力により位置が保持された状態である第一状態から取り付け部材に離れる方向に嵌合部材が移動した状態である第二状態まで転換できる。
【００１７】
本発明のさらに別のブラケット装置は、複数の柱孔を含むラック柱を有するラック、前記ラック柱に設けられる第一レールおよび第一レールに対して移動可能であり、対象物を搭載する第二レールを備えるスライドレールアセンブリに用いられる。
ブラケット装置は、側壁、ベース、少なくとも１つの取り付け部材、弾性部材および嵌合部材を備える。
側壁は、対象物に対向する。
ベースは、側壁に隣り合う。
取り付け部材は、ベースに接続されており、柱孔を介してラック柱に取り付け可能である。
弾性部材は、側壁に設けられている。
嵌合部材は、側壁に対して移動可能に設けられており、ラック柱と嵌合可能な嵌合部および対象物に嵌着可能な嵌着部を有する。
また、嵌合部材は、弾性部材の弾力により位置が保持された状態である第一状態から前記取り付け部材と離れる方向に移動した状態である第二状態まで転換でき、嵌合部材が第一状態であるとき、嵌着部は、対象物を嵌着する。
【図面の簡単な説明】
【００１８】
【図１】本発明の第一実施形態のブラケット装置を示す斜視図である。
【図２】本発明の第一実施形態のブラケット装置の分解斜視図である。
【図３】本発明の第一実施形態のブラケット装置がスライドレールアセンブリに取り付けられ、ラック柱の方向に向かって取り付けられる様子を示す模式図である。
【図４】本発明の第一実施形態のブラケット装置の嵌合部材が回転し、取り付け部材がラック柱の柱孔を介してラック柱に取り付け可能な様子を示す模式図である。
【図５】本発明の第一実施形態のブラケット装置がラックのラック柱に取り付けられ様子を示す模式図である。
【図６】本発明の第一実施形態のブラケット装置によりスライドレールアセンブリの第一レールがラックのラック柱に取り付けられ、スライドレールアセンブリの第二レールに搭載物が取り付けられる様子を示す模式図である。
【図７】図６のＡ部拡大図である。
【図８】図６のＢ部拡大図である。
【図９】本発明の第一実施形態のブラケット装置の嵌着部が搭載物の嵌着部材を嵌着する様子を示す模式図である。
【図１０】図９のＡ部拡大図である。
【図１１】本発明の第一実施形態のブラケット装置の嵌着部が搭載物の嵌着部材を嵌着解除する様子を示す模式図である。
【図１２】図１１のＡ部拡大図である。
【図１３】本発明の第一実施形態のブラケット装置に用いられる搭載物がスライドレールアセンブリにより第一方向へ向かって移動する様子を示す模式図である。
【図１４】本発明の第一実施形態のブラケット装置に用いられるスライドレールアセンブリの第二レールは、第一レールに相対して収納状態にあり、搭載物がラックの中にある様子を示す模式図である。
【図１５】本発明の第一実施形態のブラケット装置に用いられるスライドレールアセンブリの第二レールは、第一レールに相対して延伸状態にあり、搭載物がラックの外にある様子を示す模式図である。
【図１６】本発明の第二実施形態のブラケット装置がレールに取り付けられる斜視図である。
【図１７】本発明の第二実施形態のブラケット装置の嵌合部材の嵌着部が搭載物を嵌着する様子を示す模式図である。
【図１８】本発明の第二実施形態のブラケット装置の嵌着部が搭載物の嵌着部材を嵌着解除する様子を示す模式図である。
【図１９】本発明の第三実施形態のブラケット装置の嵌合部材の嵌着部は、搭載物の嵌着部材を嵌着する様子を示す模式図である。
【発明を実施するための形態】
【００１９】
（第一実施形態）
図１および図２に示すように、本発明の第一実施形態のブラケット装置２０は、側壁２２、ベース２４、少なくとも一つの取り付け部材（例えば第一取り付け部材２６ａ、第二取り付け部材２６ｂ）、弾性部材２８、および嵌合部材３０を備える。
側壁２２は、ほぼ縦方向に設けられており、開口３２、少なくとも一つの耳部３４、および係止部３６を備える。側壁２２は、対象物としての搭載物７４に対向するように、設けられる。
少なくとも一つの耳部３４は、側壁２２から横方向に突出し、搭載物７４側に向かって突出する。第一実施形態では、耳部３４は、２つ設けられている。
一方、係止部３６は、側壁２２に相対して湾曲する。第一実施形態では、延伸段３８が側壁２２から横方向に突出し、係止部３６は、延伸段３８に相対して湾曲することを例とする。係止部３６と延伸段３８とは、側壁２２の一部分とみなされる。
好ましくは、延伸段３８が側壁２２に相対する突出方向と少なくとも一つの耳部３４が側壁２２に相対する突出方向とは同じである。
ベース２４は、側壁２２に隣り合う。本実施形態において、ブラケット装置２０は、ほぼ垂直に接続されている端壁４０をさらに備える。
ベース２４は、端壁４０の一方側に設置される。
第一取り付け部材２６ａと第二取り付け部材２６ｂとは、側壁２２とは反対側でベース２４に接続されている。第一実施形態では、第一取り付け部材２６ａと第二取り付け部材２６ｂとは、端壁４０の一方側から端壁４０の他方側を通じることを例とする。すなわち、第一取り付け部材２６ａと第二取り付け部材２６ｂとは、端壁４０に貫通している。
弾性部材２８は、側壁２２と嵌合部材３０との間に設けられる。
好ましくは、弾性部材２８は、弾性部４２を備える。弾性部４２は、係止部３６と嵌合部材３０との間に設けられる。
嵌合部材３０は、側壁２２に移動可能に取り付けられる。嵌合部材３０は、嵌着部４４を備える。本実施形態において、嵌着部４４は、空間４６、および前記空間４６に隣り合う係止壁４８を備えることを例とする。また、嵌着部４４は、搭載物７４に嵌着可能である。
嵌合部材３０は、軸部材５０により側壁２２の少なくとも一つの耳部３４に回転可能に接続されていることを例とする。嵌合部材３０は、開口３２により弾性部材２８の弾性部４２に接触する。
嵌合部材３０は、側部５２、および側部５２に相対して湾曲する少なくとも一つの嵌合部５４（例えば一対の嵌合部５４）を有する。
好ましくは、側部５２は、嵌着部４４を備える。嵌合部材３０は、弾性部材２８の弾力に反応することにより、例えば、第一状態Ｐ１（或いはロック状態）に保持される。
嵌合部材３０は、第一状態Ｐ１にあるとき、少なくとも一つの取り付け部材２６ａ、２６ｂに隣り合う。
【００２０】
図３に示すように、ブラケット装置２０は、スライドレールアセンブリ５６に取り付けるのに用いられる。スライドレールアセンブリ５６は、ラック５８のラック柱６０に取り付けることができる。
ラック柱６０は、複数の柱孔６２ａ、６２ｂ、６２ｃを有する。すなわち、ラック柱６０は、複数の第一柱孔６２ａ、複数の第二柱孔６２ｂおよび複数の第三柱孔６２ｃを有する。
スライドレールアセンブリ５６は、第一レール６４を備える。
ブラケット装置２０の側壁２２は、第一レール６４に取り付けられる。例えば、ブラケット装置２０の側壁２２は、リベット接合、ねじ接合または溶接等方式により、第一レール６４の隣り合う端部に接続される。
【００２１】
図３および図４に示すように、スライドレールアセンブリ５６をラック５８に付けようとしたとき、使用者により、スライドレールアセンブリ５６が第一方向Ｄ１へ向かって移動する。例えば、ラック柱６０の第一柱孔６２ａと第二柱孔６２ｂとに第一取り付け部材２６ａと第二取り付け部材２６ｂとをそれぞれ合わせる。このとき、ラック柱６０の第一柱孔６２ａと第二柱孔６２ｂとに第一取り付け部材２６ａと第二取り付け部材２６ｂとをそれぞれ柱孔を介して設ける。この過程において、嵌合部材３０は、第一状態Ｐ１ではなく操作できるようになる。例えば、嵌合部材３０は、第一状態Ｐ１から回転方向Ａへ向かって第二状態Ｐ２（或いはロック解除状態）に転換することにより、少なくとも一つの嵌合部５４は、少なくとも一つの取り付け部材２６ａ、２６ｂから離れる。
好ましくは、少なくとも一つの嵌合部５４は、案内面６６をさらに有する。案内面６６は、例えば、傾斜面または弧面である。また、嵌合部５４は、ラック柱６０と嵌合可能である。
スライドレールアセンブリ５６を第一方向Ｄ１へと向かって移動する過程において、嵌合部材３０は、少なくとも一つの嵌合部５４の案内面６６によりラック柱６０のエッジ６８を接触し、第一状態Ｐ１から第二状態Ｐ２までを転換する。または、使用者が嵌合部材３０に力Ｆを加え、第一状態Ｐ１から第二状態Ｐ２までを転換する。
嵌合部材３０は、第二状態Ｐ２にあるとき、弾性部材２８の弾性部４２が弾力を蓄える。一方、係止部３６は、弾性部材２８の弾性部４２に接触することにより、弾性部材２８の弾性部４２が変形しすぎることを防止する。
【００２２】
図４および図５に示すように、第一取り付け部材２６ａと第二取り付け部材２６ｂとは、ラック柱６０の第一柱孔６２ａと第二柱孔６２ｂとを介して完全に設けられる。このとき、嵌合部材３０は、弾性部材２８の弾性部４２の弾力を応じて第二状態Ｐ２から第一状態Ｐ１までに回復し、嵌合部５４がラック柱６０をロックする。そのため、スライドレールアセンブリ５６はラック５８に付けられる。
【００２３】
図６に示すように、スライドレールアセンブリ５６は、第一レール６４に対して移動する第二レール７０をさらに有する。
スライドレールアセンブリ５６の第一レール６４の一端部は、一方のブラケット装置２０（例えば、前ブラケット装置）によりラック５８のラック柱６０を付けられる。
一方、スライドレールアセンブリ５６の第一レール６４の他端部は、他方のブラケット装置２１（例えば、後ブラケット装置）によりラック５８のもう一方のラック柱７２に付けられる。さらに、第二レール７０が搭載物７４を搭載される。
対象物としての搭載物７４は、電子機器或いはシャーシ（ｃｈａｓｓｉｓ）である。
搭載物７４の一側は、第二レール７０の取り付け部位７７（例えば、支持穴）を取り付ける複数の取り付け部７６を備える。
本実施形態において、搭載物７４は、嵌着部材７８を備える（図７参照）。
搭載物７４の嵌着部材７８は、対象物とみなす。
嵌着部材７８は、弾力アーム８０および弾力アーム８０に位置する嵌着部位８２(例えば、突出部)を備える。
嵌着部位８２は、ブラケット装置２０の嵌合部材３０の嵌着部４４の空間４６に対応する（図８参照）。
【００２４】
図９に示すように、嵌着部材７８の弾力アーム８０は、搭載物７４の端部８４に設けられる。
本実施形態において、弾力アーム８０は、ほぼＵ形構造である。
一方、ブラケット装置２０の嵌合部材３０は、第一状態Ｐ１にあり、少なくとも一つの嵌合部５４がラック柱６０をロックする。
第二レール７０は、第一レール６４に相対して収納位置Ｒにあるとき、搭載物７４がラック５８の中にある（図中では、ラック５８のラック柱６０をしめす）。搭載物７４の嵌着部材７８が嵌合部材３０の嵌着部４４を嵌着される。または、搭載物７４の嵌着部材７８が嵌合部材３０の嵌着部４４に嵌着される。
具体的には、嵌着部位８２は、弾力アーム８０の弾力により嵌合部材３０の嵌着部４４の空間４６に伸びたまま、保持できる。嵌着部位８２が係止壁４８に対応し、搭載物７４が嵌着部材７８により嵌合部材３０の嵌着部４４を嵌着する。または、搭載物７４の嵌着部材７８が嵌合部材３０の嵌着部４４に嵌着される（図１０参照）。
【００２５】
図１１に示すように、搭載物７４がラック５８の中からを第一方向Ｄ１へ向かって引き出されたとき、使用者は嵌着部材７８の弾力アーム８０に力Ｆを加え、嵌着部位８２が嵌合部材３０の嵌着部４４に嵌着されないようになる（図１２参照）。
【００２６】
図１３に示すように、嵌着部位８２が嵌合部材３０の嵌着部４４を嵌着しない後、第二レール７０は、第一レール６４に相対して第一方向Ｄ１へ向かって縦方向に移動し、搭載物７４がラック５８の外に位置する。
【００２７】
図１４に示すように、搭載物７４の両側は、一対のスライドレールアセンブリ５６によりラック５８に取り付けられる。
ラック５８は、二対のラック柱６０、７２を備える。
それぞれのスライドレールアセンブリ５６の第二レール７０が第一レール６４に相対して収納位置Ｒにあるとき、搭載物７４の嵌着部材７８が嵌合部材３０の嵌着部４４に嵌着される（この部分は図９と図１０に示す通り、説明を簡略化するため、説明を省く）。
【００２８】
図１５に示すように、いったん、搭載物７４の嵌着部材７８が嵌合部材３０の嵌着部４４に嵌着されないとき、スライドレールアセンブリ５６の第二レール７０が第一レール６４に相対して収納位置Ｒから第一方向Ｄ１へ向かって延伸位置Ｅまで移動できる（この部分は図１１と図１２に示す通り、説明を簡略化するため、説明を省く）。
好ましくは、スライドレールアセンブリ５６は、第一レール６４と第二レール７０との間に移動可能に取り付けられる第三レール８６をさらに有する。このため、第二レール７０の第一レール６４に対する移動行程を延長する。
【００２９】
（第二実施形態）
図１６は、本発明の第二実施形態によるブラケット装置２００の実施型態を示す。
具体的には、ブラケット装置２００は、側壁２０２、ベース２０４、少なくとも一つの取り付け部材（例えば、第一取り付け部材２０６、第二取り付け部材２０８）、弾性部材２１０、および嵌合部材２１２を備える。
嵌合部材２１２は、側壁２０２に回転可能に設けられる。
嵌合部材２１２は、側部２１４および側部２１４に相対して湾曲する少なくとも一つの嵌合部２１６をさらに有する。
嵌合部材２１２が第一状態Ｐ１にあるとき、嵌合部２１６は、少なくとも一つの取り付け部材２０６、２０８に隣り合う。
ブラケット装置２００と第一実施形態のブラケット装置２０との差異は、以下のとおりである。
ブラケット装置２００の嵌着部２１８は、嵌合部２１６に位置する。
具体的には、嵌着部２１８は、延伸アーム２２０および延伸アーム２２０に対して上に一角度の偏りを湾曲するフック部２２２を有する。
延伸アーム２２０とフック部２２２との間の角度は、ほぼ９０度、或いは９０度未満であり、実施を限定するものではない。
好ましくは、嵌合部材２１２の側部２１４と嵌合部２１６と、嵌着部２１８の延伸アーム２２０とフック部２２２とは、一体構造に形成されている。
好ましくは、嵌合部２１６は、上側２２４および下側２２６を有する。
嵌着部２１８の延伸アーム２２０は、上側２２４と下側２２６との間であって、ほぼ垂直に嵌合部２１６と接続されている。
ここでは、嵌着部２１８の延伸アーム２２０は、隣り合う上側２２４にほぼ垂直に接続されていることを例とする。
【００３０】
図１７に示すように、搭載物２２８は、嵌着部材２３０を備える。
嵌着部材２３０は、移動可能に取り付けられ、例えば、搭載物２２８に対して回転可能に設けられる。
嵌着部材２３０は、嵌着部２３２を備える。
搭載物２２８は、第二レールにより第一レールに相対して収納位置Ｒにあるとき（第一レールおよび第二レールについては第一実施形態に示す通り、ここでは説明を省く）、嵌着部２１８は、搭載物２２８の嵌着部材２３０に嵌着できる。
具体的には、嵌着部材２３０の嵌着部２３２は、フック部２２２に嵌着され、第二レールが第一レールに相対して収納位置Ｒに保持される。
つまり、搭載物２２８は、ラック５８の中に保持し、収納ロック機能を持つ。
【００３１】
図１７および図１８に示すように、力Ｆで搭載物２２８の嵌着部材２３０が操作され、嵌着部材２３０が一角度を回転し、嵌着部材２３０の嵌着部２３２が嵌着部２１８のフック部２２２から離れる。このため、搭載物２２８が収納位置Ｒから第一方向Ｄ１へ向かってラック５８の外まで引き出される。
【００３２】
（第三実施形態）
図１９は、本発明の第三実施形態によるブラケット装置３００の実施型態を示す。
ブラケット装置３００と第一実施形態のブラケット装置２００との差異は、以下のとおりである。
嵌着部３０２のフック部３０４は、延伸アーム３０６に対して下に一角度の偏りを湾曲している。嵌着部３０２の延伸アーム３０６は、嵌合部３０８の下側３１０にほぼ垂直に接続されていることを例とする。
この構成によると、搭載物３１２の嵌着部材３１４のさまざまな方向で嵌着できる。
例えば、搭載物３１２の嵌着部材３１４が嵌合部３０８の下に嵌着される。
これによって、本実施形態によるブラケット装置は、さまざまな形の嵌着部を備え、さまざまな対象物（例えば搭載物の嵌着部材）を嵌着する。
【００３３】
前述した本発明の実施形態は本発明を限定するものではなく、よって、本発明により保護される範囲は後述される特許請求の範囲を基準とする。
【符号の説明】
【００３４】
２０、２０、２００  一方のブラケット装置、
２１  他方のブラケット装置、
２２、２０２  側壁、
２４、２０４  ベース、
２６ａ、２０６  第一取り付け部材、
２６ｂ、２０８  第二取り付け部材、
２８、２１０  弾性部材、
３０、２１２  嵌合部材、
３２  開口、
３４  耳部、
３６  係止部、
３８  延伸段、
４０  端壁、
４２  弾性部、
４４、２１８、３０２  嵌着部、
４６  空間、
４８  係止壁、
５０  軸部材、
５２、２１４  側部、
５４、２１６、３０８  嵌合部、
５６  スライドレールアセンブリ、
５８  ラック、
６０  一方のラック柱
６２ａ  第一柱孔、
６２ｂ  第二柱孔、
６２ｃ  第三柱孔、
６４  第一レール、
６６  案内面、
６８  エッジ、
７０  第二レール、
７２  他方のラック柱、
７４、２２８、３１２  搭載物、
７６  取り付け部、
７７  取り付け部位、
７８、２３０、３１４  嵌着部材、
８０  弾力アーム、
８２  嵌着部位、
８４  搭載物の端部、
８６  第三レール、
２２０、３０６  延伸アーム、
２２２、３０４  フック部、
２２４  上側、
２２６、３１０  下側、
２３２  嵌着部、
Ａ      回転方向、
Ｄ１    第一方向、
Ｆ      力、
Ｐ１    第一状態、
Ｐ２    第二状態、
Ｒ      収納位置、
Ｅ      延伸位置。
【図１】
2018061827.tif 000003
【図２】
2018061827.tif 000004
【図３】
2018061827.tif 000005
【図４】
2018061827.tif 000006
【図５】
2018061827.tif 000007
【図６】
2018061827.tif 000008
【図７】
2018061827.tif 000009
【図８】
2018061827.tif 000010
【図９】
2018061827.tif 000011
【図１０】
2018061827.tif 000012
【図１１】
2018061827.tif 000013
【図１２】
2018061827.tif 000014
【図１３】
2018061827.tif 000015
【図１４】
2018061827.tif 000016
【図１５】
2018061827.tif 000017
【図１６】
2018061827.tif 000018
【図１７】
2018061827.tif 000019
【図１８】
2018061827.tif 000020
【図１９】
2018061827.tif 000021